(57)【要約】【課題】テンションローラーの操作性が悪い。【解決手段】移送台１にモーター２５により駆動する移送台伝達チエン５と、チエン５からの駆動力で駆動する供給装置Ｓとを設け、供給装置Ｓの駆動力は可変に構成にしたものにおいて、供給装置Ｓは出力歯車２９又は従動歯車３０の歯数を歯数の異なる歯車に交換することで可変とし、前記チエン３１にはテンション機構３５のテンションローラ３７を接離自在に当接させ、該テンションローラ３７はテンションアーム４０の先端に取付兼操作軸４２により取付け、該取付兼操作軸４２は前記テンションローラ３７の移動を固定するロック状態と前記テンションローラ３７の移動を許容するアンロック状態に切替可能に構成した育苗容器用供給装置。【選択図】図２
2008092822.tif 000002
【特許請求の範囲】
【請求項１】
育苗容器２を移送する移送ベルトまたは移送ローラ３を有する移送台１の上方位置に、床土供給装置７と種子供給装置１５と覆土供給装置２０とのうちの一部または全部の供給装置Ｓを設け、該供給装置Ｓは前記移送台１の所望位置に設けたモータフレーム２６に取り付けた一定回転のモーター２５により駆動する移送台伝達チエン５からの回転が伝達されて駆動するように構成し、該移送台伝達チエン５を駆動させる回転は、モーター２５の出力歯車２９と移送台１の従動歯車３０とにチエン３１を掛け回して伝達するように構成し、前記出力歯車２９と前記従動歯車３０の何れか一方または両方を、歯数の相違する歯車に交換して、もって、前記供給装置Ｓに伝達する回転数を切替変更可能に構成し、前記チエン３１にはテンション機構３５のテンションローラ３７を接離自在に当接させ、該テンションローラ３７はテンションアーム４０の先端に取付兼操作軸４２により取付け、該取付兼操作軸４２は前記テンションローラ３７の移動を固定するロック状態と前記テンションローラ３７の移動を許容するアンロック状態に切替可能に構成した育苗容器用供給装置。
【請求項２】
請求項１において、前記取付兼操作軸４２は、その基部に螺子軸部４４を形成し、該螺子軸部４４より先端側には螺子軸部４４よりも大径の段部４３を形成し、前記移送台１のモータフレーム２６の側板２７には透孔４５を形成し、該透孔４５より挿通した螺子軸部４４を前記側板２７の内側に設けた内側アーム４６のロックナット４７に螺合させ、取付兼操作軸４２の段部４３と内側アーム４６のロックナット４７とにより側板２７を左右側から挟持するようにした育苗容器用供給装置。
【請求項３】
請求項２において、前記テンションアーム４０は、その基部を軸４１により側板２７に回動自在に取付け、前記透孔４５は、前記側板２７に、前記軸４１を中心とする円弧形状に形成し、前記取付兼操作軸４２は前記テンションローラ３７が前記チエン３１に接離するとき、前記透孔４５内を移動するように構成した育苗容器用供給装置。
【請求項４】
育苗容器２を移送する移送ベルトまたは移送ローラ３を有する移送台１の上方位置に、床土供給装置７と種子供給装置１５と覆土供給装置２０とのうちの一部または全部の供給装置Ｓを設け、該供給装置Ｓは前記移送台１の所望位置に設けた一定回転のモーター２５により駆動する移送台伝達チエン５からの回転が伝達されて駆動するようにし、移送台伝達チエン５を駆動させる回転は、モーター２５の出力歯車２９と移送台１の従動歯車３０とにチエン３１を掛け回して伝達するようにし、取付兼操作軸４２の段部４３と内側アーム４６のロックナット４７とによる取付兼操作軸４２の締め付けを弛めて前記チエン３１に接離するテンションローラ３７を移動させて、出力歯車２９と従動歯車３０とからチエン３１を外し、次に、出力歯車２９と従動歯車３０との何れか一方または両方を歯数の相違する歯車に交換し、次に、取付兼操作軸４２を弛めて回動自在状態のテンションローラ３７を回動させてチエン３１を緊張させ、次に、取付兼操作軸４２を締めて、取付兼操作軸４２の段部４３と内側アーム４６のロックナット４７とにより側板２７を左右側から挟持して、テンションローラ３７の位置をロックするようにした育苗容器用供給装置の回転数切替方法。
【発明の詳細な説明】
【技術分野】
【０００１】
本発明は、床土や種子や覆土を移送中の育苗容器に供給する育苗容器用供給装置および供給装置の回転数切替方法に係るものである。
【背景技術】
【０００２】
従来、育苗容器を移送する移送ベルトまたは移送ローラを有する移送台の上方位置に、種子供給装置と、回転ブラシを設け、種子供給装置と回転ブラシと移送台は、種子供給装置に設けたモーターにより駆動する伝達チエンからの回転が伝達されて駆動するようにし、該チエンは種子供給装置の側板に設け、種子供給装置を移送台に対して前後させて緊張させる構成は、公知である（特許文献１）。
また、従来、テンションアームの先端にテンションローラを取付け、テンションアームはバネにより常時チエンに押しつけるように付勢した構成は公知である（特許文献２）。
【特許文献１】特開２００１−１２００１５号公報
【特許文献２】特開平３−７２８１１号公報
【発明の開示】
【発明が解決しようとする課題】
【０００３】
前記公知例のうち特開２００１−１２００１５号公報に記載されたものは、種子供給装置全体を前後に移動させて、チエンを緊張させるので、チエンの張り具合の調節が面倒であり、微妙な調節が困難であるという課題がある。
前記公知例のうち特開平１−２１５２１５号公報に記載されたものは、バネ弾力に抗してテンションローラを移動させるので、チエンの着脱が面倒であるという課題がある。
本願は、簡単な構成でバネ不要のチエンの張り具合の調節できる供給装置を提供するものである。
【課題を解決するための手段】
【０００４】
本発明は、育苗容器２を移送する移送ベルトまたは移送ローラ３を有する移送台１の上方位置に、床土供給装置７と種子供給装置１５と覆土供給装置２０とのうちの一部または全部の供給装置Ｓを設け、該供給装置Ｓは前記移送台１の所望位置に設けたモータフレーム２６に取り付けた一定回転のモーター２５により駆動する移送台伝達チエン５からの回転が伝達されて駆動するように構成し、該移送台伝達チエン５を駆動させる回転は、モーター２５の出力歯車２９と移送台１の従動歯車３０とにチエン３１を掛け回して伝達するように構成し、前記出力歯車２９と前記従動歯車３０の何れか一方または両方を、歯数の相違する歯車に交換して、もって、前記供給装置Ｓに伝達する回転数を切替変更可能に構成し、前記チエン３１にはテンション機構３５のテンションローラ３７を接離自在に当接させ、該テンションローラ３７はテンションアーム４０の先端に取付兼操作軸４２により取付け、該取付兼操作軸４２は前記テンションローラ３７の移動を固定するロック状態と前記テンションローラ３７の移動を許容するアンロック状態に切替可能に構成した育苗容器用供給装置としたものである。
本発明は、前記取付兼操作軸４２は、その基部に螺子軸部４４を形成し、該螺子軸部４４より先端側には螺子軸部４４よりも大径の段部４３を形成し、前記移送台１のモータフレーム２６の側板２７には透孔４５を形成し、該透孔４５より挿通した螺子軸部４４を前記側板２７の内側に設けた内側アーム４６のロックナット４７に螺合させ、取付兼操作軸４２の段部４３と内側アーム４６のロックナット４７とにより側板２７を左右側から挟持するようにした育苗容器用供給装置としたものである。
本発明は、前記テンションアーム４０は、その基部を軸４１により側板２７に回動自在に取付け、前記透孔４５は、前記側板２７に、前記軸４１を中心とする円弧形状に形成し、前記取付兼操作軸４２は前記テンションローラ３７が前記チエン３１に接離するとき、前記透孔４５内を移動するように構成した育苗容器用供給装置としたものである。
本発明は、育苗容器２を移送する移送ベルトまたは移送ローラ３を有する移送台１の上方位置に、床土供給装置７と種子供給装置１５と覆土供給装置２０とのうちの一部または全部の供給装置Ｓを設け、該供給装置Ｓは前記移送台１の所望位置に設けた一定回転のモーター２５により駆動する移送台伝達チエン５からの回転が伝達されて駆動するようにし、移送台伝達チエン５を駆動させる回転は、モーター２５の出力歯車２９と移送台１の従動歯車３０とにチエン３１を掛け回して伝達するようにし、取付兼操作軸４２の段部４３と内側アーム４６のロックナット４７とによる取付兼操作軸４２の締め付けを弛めて前記チエン３１に接離するテンションローラ３７を移動させて、出力歯車２９と従動歯車３０とからチエン３１を外し、次に、出力歯車２９と従動歯車３０との何れか一方または両方を歯数の相違する歯車に交換し、次に、取付兼操作軸４２を弛めて回動自在状態のテンションローラ３７を回動させてチエン３１を緊張させ、次に、取付兼操作軸４２を締めて、取付兼操作軸４２の段部４３と内側アーム４６のロックナット４７とにより側板２７を左右側から挟持して、テンションローラ３７の位置をロックするようにした育苗容器用供給装置の回転数切替方法としたものである。
【発明の効果】
【０００５】
請求項１の発明では、バネ不要のテンション機構３５を提供でき、テンション機構３５は、取付兼操作軸４２によりテンションローラ３７の移動を許容するアンロック状態にしてからチエン３１を外し、その後、テンションローラ３７の移動を固定するロック状態に切替えるだけで、チエンの張り具合の調節を頗る簡単にできる。
請求項２の発明では、テンション機構３５は、テンションローラ３７の、取付兼操作軸４２の段部４３とロックナット４７とによりモータフレーム２６の側板２７を一緒に挟むだけで、固定されるから、簡単な構成で、テンションローラ３７の移動を固定するロックとアンロックとに切り替える構成を実現できる。
請求項３の発明では、テンションローラ３７の、取付兼操作軸４２が側板２７の透孔４５内を移動してテンションローラ３７の移動を固定するロックとアンロックとに切り替えるので、操作が容易にできる。
請求項４の発明では、テンション機構３５の取付兼操作軸４２により、チエン３１を外すとき、テンションローラ３７の弛める操作と外す操作を別個に行え、チエン３１を掛けるときは、テンション調節操作と固定操作との両方を同時進行できるので、チエンの張り具合の調節を頗る簡単にできる。
【発明を実施するための最良の形態】
【０００６】
本発明の一実施例を図面により説明すると、１は育苗容器２を移送する移送台であり、育苗容器２を移送する移送ベルトまたは移送ローラ３を有し、前後一対設けた支脚４により床上に載置し、移送台１には移送ベルトまたは移送ローラ３を駆動する移送台伝達チエン５を設ける。
移送台１の始端部上方位置には、床土供給装置７等任意の装置を設ける。図１は、播種装置の実施例を示し、床土供給装置７は上部に床土供給ホッパー８を設け、床土供給ホッパー８の下部には床土供給ベルト９を設けて構成している。
【０００７】
床土供給装置７の育苗容器２の移送方向後側（下手側）には、床土均平回転ブラシ１１を設け、床土均平回転ブラシ１１の移送方向後側には、灌水ノズル１２を設ける。
灌水ノズル１２の育苗容器２の移送方向後側には、種子供給装置１５を設ける。種子供給装置１５は上部には種子供給ホッパー１６を設け、種子供給ホッパー１６の下方には横軸種子繰出ロール１７を設ける。
【０００８】
種子供給装置１５の育苗容器２の移送方向後側には、覆土供給装置２０を設ける。覆土供給装置２０は上部に覆土供給ホッパー２１を設け、覆土供給ホッパー２１の下方には覆土供給ベルト２２を設ける。
また、床土均平回転ブラシ１１や灌水ノズル１２の設置位置は任意であり、実施例に限定されない。
移送台１の所望位置にはモーター２５を取付ける。モーター２５は、一定回転のモーター（単相誘導電動機）により構成し、モーター２５はモータフレーム２６に取付ける。モータフレーム２６の側板２７にはモーター２５の出力軸２８を突出させる。出力軸２８には出力歯車２９を設ける。
【０００９】
出力歯車２９の下方の移送台１には従動歯車３０を設け、前記出力歯車２９と従動歯車３０とにチエン３１を掛け回す。従動歯車３０は図示は省略するが、前記移送台伝達チエン５に回転を伝達し、移送台伝達チエン５は床土供給装置７等の各部に回転を伝達する。
【００１０】
しかして、チエン３１はテンション機構３５により常時緊張させる（なお、図１は、モーター２５の位置の理解を容易にするため、テンション機構３５の図示は省略しているが、これにより、本発明の構成が限定されることはない。同様に、図１のモーター２５の設置位置は例示であり、これにより、本発明の構成が限定されることはない）。テンション機構３５は、取付位置不動の固定ローラ３６とテンションローラ３７とにより構成する。
固定ローラ３６はテンションアーム４０の基部に取付軸４１により取付け、テンションアーム４０は、取付軸４１により側板２７に回動自在に取付ける。したがって、取付軸４１は固定ローラ３６とテンションアーム４０の取付軸を兼用する。
モータフレーム２６の形状は任意であり、側板２７はモーターフレーム２６と別部材により形成しても良い。
【００１１】
テンションアーム４０の先端には前記テンションローラ３７を取付兼操作軸４２により取付ける。取付兼操作軸４２の基部には段部４３を形成し、段部４３より先側は螺子軸部４４に形成する。
取付兼操作軸４２は、段部４３を前記側板２７の表面に当接させ、側板２７に形成した透孔４５から側板２７の裏側（内側）に螺子軸部４４を突出させ、螺子軸部４４は側板２７の内側に設けた内側アーム４６のロックナット４７に螺合させる。取付兼操作軸４２を締めると、段部４３とロックナット４７とにより側板２７を左右側から挟持する。
【００１２】
取付兼操作軸４２の先端側にはカラー４８を回転のみ自在に挿通する。
テンション機構３５は、取付兼操作軸４２により、テンションローラ３７の移動を固定するロック状態とテンションローラ３７の移動を許容するアンロック状態に切替可能に構成する。
【００１３】
したがって、テンション機構３５は、取付兼操作軸４２のつまみ部５０により取付兼操作軸４２を弛め、テンションローラ３７を取付軸４１中心に回動させると、テンションローラ３７の移動を許容するアンロック状態になり、チエン３１が緊張するように、テンションローラ３７を移動させてから、取付兼操作軸４２を締めると、テンションローラ３７の移動を固定するロック状態になってテンション調節が完了する。
【００１４】
この場合、固定ローラ３６は前記出力軸２８の軸芯より、側面視、後側に位置させ、この固定ローラ３６に対してテンションローラ３７はテンションアーム４０の先端に取付け、テンションローラ３７の右側側面から下面側に主としてチエン３１を当接させ、固定ローラ３６の上面側から左側側面に主としてチエン３１を当接させて、チエン３１を掛け回し、テンションローラ３７を上方回動させると、チエン３１が緩むように構成している。
【００１５】
しかして、移送台１は、例えば、１時間当たり１００箱〜１５００箱の育苗容器２を移送して播種する能力有し、移送速度を切替変更して、最適な作業形態を選択し、作業性を向上させる。
即ち、前記出力軸２８および出力歯車２９は、歯数の相違するものを複数用意し、複数の出力軸２８と出力歯車２９を選択して取り付けることにより、１時間当たりの移送速度を変更すると共に、移送台１の移送台伝達チエン５から床土供給装置７等の各部を駆動するように構成する。
【００１６】
実施例では、角孔５１を有する取付筒５２に、例えば、歯数が１３丁と２２丁のギヤ５３と、歯数が１５丁と１８丁のギヤ５４とを形成して、従動歯車３０を構成し、この従動歯車３０と歯数が１０丁の出力歯車２９とにチエン３１を掛け回し、時間当たり２００箱と２５０箱と３００箱に播種できるように、切り替えているが、これにより本発明の構成は限定されない。
【００１７】
（実施例の作用）
次に作用を述べる。
床土供給装置７の床土供給ホッパー８に床土を供給し、種子供給装置１５の種子供給ホッパー１６に種子を供給し、覆土供給装置２０の覆土供給ホッパー２１に覆土を供給してから、空の育苗容器２を移送台１に供給すると、育苗容器２は床土供給装置７で床土の供給を受け、床土均平回転ブラシ１１で均平され、種子供給装置１５の下方で種子の供給を受け、覆土供給装置２０の下方で覆土の供給を受ける。
【００１８】
この場合、移送台１および床土供給装置７等は、モーター２５により駆動されるが、モーター２５の回転は、出力歯車２９からチエン３１により移送台１の従動歯車３０に伝達され、移送台１の従動歯車３０の回転が移送台伝達チエン５を介して、床土供給装置７、床土均平回転ブラシ１１、種子供給装置１５、覆土供給装置２０の各部に伝達されるから、モーター２５の駆動出力回転を、従動歯車３０に伝達されるときに、出力歯車２９と従動歯車３０の何れか一方または両方を、歯数の相違する歯車に交換すると、例えば、１時間当たり２００箱と２５０箱と３００箱とに播種能力を切替変更でき、作業性を向上させる。
【００１９】
この場合、モーター２５を、回転数の変更可能な可変速モータによっても、能力切替変更可能であるが、本願では、出力歯車２９と従動歯車３０の何れか一方または両方を、歯数の相違する歯車に交換することにより行うので、安価に構成できる。
【００２０】
しかして、移送台１の所望位置にはモータフレーム２６を設け、モータフレーム２６には一定回転のモーター２５を取付け、モーター２５の出力軸２８には出力歯車２９を着脱交換自在に取付け、出力歯車２９の下方の移送台１には従動歯車３０を着脱交換自在に取付け、出力歯車２９と従動歯車３０とにチエン３１を掛け回し、チエン３１はテンション機構３５により常時緊張させているから、テンション機構３５の取付兼操作軸４２のつまみ部５０により取付兼操作軸４２を弛めると、段部４３とロックナット４７とによる側板２７の左右側からの挟持力を弱くするので、テンションローラ３７は移動可能になり、取付軸４１中心に図２においてテンションローラ３７を反時計回転方向に回動させて、チエン３１から離脱させる。
【００２１】
テンションローラ３７がチエン３１から離れると、チエン３１の緊張は緩んだままになり、チエン３１を外して、出力歯車２９と従動歯車３０の何れか一方または両方を、歯数の相違する他の歯車に交換する。
したがって、テンションローラ３７をチエン３１から離す作業（操作）と、チエン３１をテンションローラ３７から外す作業とを別々に行えるので、非常に容易に、チエンの着脱および歯車の交換を行える。
【００２２】
次に、テンションローラ３７は移動自在の状態であるから、テンションローラ３７を取付軸４１中心に時計回転方向に回動させて、チエン３１にテンションローラ３７を当接させ、更に、テンションローラ３７を取付軸４１中心に時計回転方向に回動させてチエン３１を緊張させたら、次に、取付兼操作軸４２を締めると、テンションローラ３７はこの位置で位置固定され、モーター２５に通電すると、所定の回転数への切り替えが終了する。
【００２３】
即ち、テンション機構３５の取付兼操作軸４２の段部４３は側板２７の表面に当接し、取付兼操作軸４２の螺子軸部４４は側板２７に形成した透孔４５より側板２７の裏側（内側）に突出させ、螺子軸部４４は側板２７の内側に設けた内側アーム４６のロックナット４７に螺合させているから、段部４３とロックナット４７とにより側板２７が左右側から挟持され、この挟持力を取付兼操作軸４２により弛めてからテンションローラ３７を回動させるだけで、チエン３１の取り外しが容易に行え、チエン３１を掛けるときは、テンションアーム４０を回動させてテンション調節中に、取付兼操作軸４２による固定操作を行えばよいので、両方を同時進行でき、チエンの張り具合の調節を頗る簡単にできる。
【００２４】
また、テンションローラ３７および固定ローラ３６は、実施例では合成樹脂製のローラーにより形成しているが、金属等の他の材料で形成しても良く、また、歯車で形成してもよい。
【図面の簡単な説明】
【００２５】
【図１】播種装置の側面図。
【図２】伝動機構側面図。
【図３】伝動機構の斜視図。
【図４】取付兼操作軸の段部とロックナットとによる側板の挟持状態斜視図。
【図５】同断面図。
【図６】テンションローラのアンロック状態側面図。
【符号の説明】
【００２６】
１…移送台、２…育苗容器、３…移送ベルト、４…支脚、５…チエン、７…種子供給装置、８…種子供給ホッパー、１１…床土均平回転ブラシ、１２…灌水ノズル、１５…種子供給装置、１６…種子供給ホッパー、１７…横軸種子繰出ロール、２０…覆土供給装置、２１…覆土供給ホッパー、２２…覆土供給ベルト、２５…モーター、２６…モータフレーム、２７…側板、２８…出力軸、２９…出力歯車、３０…従動歯車、３１…チエン、３５…テンション機構、３６…固定ローラ、３７…テンションローラ、４０…テンションアーム、４１…取付軸、４２…取付兼操作軸、４３…螺子軸部、４５…透孔、４６…内側アーム、４７…ロックナット、５０…つまみ部。
【図１】
2008092822.tif 000003
【図２】
2008092822.tif 000004
【図３】
2008092822.tif 000005
【図４】
2008092822.tif 000006
【図５】
2008092822.tif 000007
【図６】
2008092822.tif 000008